(57)【要約】  【課題】  ユーザーが利用頻度の高い見出し語を自然かつ容易に認識でき、それらについて効果的な学習を行うことができる電子辞書の提供。  【解決手段】  見出し語とその関連内容からなる辞書を記憶した辞書部２２と、入力された文字列を辞書部２２から検索する検索部１２と、見出し語ごとにユーザーの利用頻度を計測する頻度計測部１３を備え、見出し語と頻度計測部１３の頻度を同時に表示する表示制御部１６を有し、また、あらかじめ設定された頻度以上の見出し語を抽出し記憶する高頻度リスト部１７を備え、表示制御部１６は、高頻度リスト部１７に抽出された見出し語と頻度計測部１３の頻度を同時に表示し、高頻度リスト部１７に抽出された見出し語について記憶された辞書部２２のデータを使用して問題を作成し、テストを実行するテスト制御部２１を有する。  【選択図】  図６
2006228044.tif 000002
【特許請求の範囲】
【請求項１】
入力部と、見出し語とその関連内容からなる辞書を記憶した辞書部と、前記入力部により入力された文字列を前記辞書部から検索する検索部と、前記検索部の検索の結果を記憶する履歴制御部と、前記履歴制御部に記憶された前記見出し語ごとの利用頻度を計測する頻度計測部と、を有することを特徴とする電子辞書。
【請求項２】
入力部と、見出し語とその関連内容からなる辞書を記憶した辞書部と、前記見出し語を単語帳に登録する単語帳制御部と、前記入力部により入力された文字列を前記辞書部から検索する検索部と、前記単語帳に登録された前記見出し語ごとの利用頻度を計測する頻度計測部と、を有することを特徴とする電子辞書。
【請求項３】
入力部と、見出し語とその関連内容からなる辞書を記憶した辞書部と、前記入力部により入力された文字列を前記辞書部から検索する検索部と、前記辞書部に記憶されている前記見出し語ごとの利用間隔を計測する頻度計測部と、を有することを特徴とする電子辞書。
【請求項４】
表示部と、前記表示部を制御する表示制御部と、を有し、前記表示制御部は前記見出し語と前記見出し語に対応する前記頻度計測部の頻度を同時に前記表示部に表示させる制御をすることを特徴とする請求項１から請求項３いずれかに記載の電子辞書。
【請求項５】
あらかじめ設定された頻度以上の前記見出し語を抽出し記憶する高頻度リスト部を有することを特徴とする請求項１から請求項４いずれかに記載の電子辞書。
【請求項６】
前記高頻度リスト部に抽出される頻度を前記入力部からの入力により設定を行う頻度設定部を有することを特徴とする請求項５に記載の電子辞書。
【請求項７】
前記入力部からの入力により指示されたソート方法に従い前記高頻度リスト部に抽出された前記見出し語をソートするソート制御部を有することを特徴とする請求項５から請求項６いずれかに記載の電子辞書。
【請求項８】
前記表示制御部は、前記高頻度リスト部に抽出された前記見出し語と前記頻度計測部の頻度を同時に表示することを特徴とする請求項５から請求項７いずれかに記載の電子辞書。
【請求項９】
前記表示制御部は、前記入力部からの入力により選択された前記高頻度リストに抽出された前記見出し語の関連内容からなる辞書情報を表示することを特徴とする請求項８に記載の電子辞書。
【請求項１０】
前記入力部からの入力により前記高頻度リスト部に記憶された任意の前記見出し語を削除し、前記頻度計測部の頻度をあらかじめ設定された値に変更する高頻度解除部を有することを特徴とする請求項９に記載の電子辞書。
【請求項１１】
前記高頻度リスト部に抽出された前記見出し語について記憶された前記辞書部のデータを使用して問題を作成し、テストを実行するテスト制御部を有することを特徴とする請求項５から請求項１０いずれかに記載の電子辞書。
【請求項１２】
前記高頻度解除部は、テスト結果により前記高頻度リスト部に記憶された前記見出し語を削除し、前記頻度計測部の頻度をあらかじめ設定された値に変更することを特徴とする請求項１１に記載の電子辞書。
【発明の詳細な説明】
【技術分野】
【０００１】
本発明は、入力された文字列に対応した見出し語とその関連内容を表示する電子辞書に関する。
【背景技術】
【０００２】
電子辞書では、ユーザーが検索したい文字列を入力し、検索を実行すると、文字列に対応してあらかじめ格納されている見出し語と意味や訳などの関連内容が表示される。
【０００３】
このとき、見出しの語の参照回数を計数し、その参照回数を表示したり、参照回数に応じてメッセージを表示したり、マーカーを使用してユーザーに注意を喚起したりするものもある（例えば特許文献１、２参照）。
【特許文献１】特開平９−１６６２６
【特許文献２】特開２００４−２１３２９９
【発明の開示】
【発明が解決しようとする課題】
【０００４】
これらのものは、頻度の対象が検索した見出し語の参照回数のみで、特許文献１では、ユーザーが頻度の一覧を参照するために、既存の機能に加えそのためのモードを用意する必要があり、ユーザーにとって不自然で複雑かつ煩雑である。また、すべての見出し語について参照回数を計数するので、記憶領域も大きくなる。特許文献２では、頻度の一覧を参照することができない。また、これらのものは、ユーザーが頻度の高い見出し語について学習をしようとしても、対象となる見出し語のみの一覧を表示することができず、さらに、特許文献１ではリストから対象の見出し語を選択して意味を表示するにとどまり、参考文献２においても検索後の参照時にその旨のメッセージの表示や、マーカーを使用して表示するようになっており、学習効率が高くない。
【０００５】
本発明は、既存の電子辞書の使い勝手のままで利用頻度の高い見出し語をユーザーが認知、参照することができ、さらに学習効果を高めることを目的とする。
【課題を解決するための手段】
【０００６】
本発明の電子辞書では以下のような課題を解決するための手段を用いる。
【０００７】
請求項１記載の発明では、入力部と、見出し語とその関連内容からなる辞書を記憶した辞書部と、入力部により入力された文字列を辞書部から検索する検索部と、検索部の検索の結果を記憶する履歴制御部と、履歴制御部に記憶された見出し語ごとの利用頻度を計測する頻度計測部と、を有することを特徴とする。
【０００８】
請求項２記載の発明では、入力部と、見出し語とその関連内容からなる辞書を記憶した辞書部と、見出し語を単語帳に登録する単語帳制御部と、入力部により入力された文字列を辞書部から検索する検索部と、単語帳に登録された見出し語ごとの利用頻度を計測する頻度計測部と、を有することを特徴とする。
【０００９】
請求項３記載の発明では、入力部と、見出し語とその関連内容からなる辞書を記憶した辞書部と、入力部により入力された文字列を前記辞書部から検索する検索部と、辞書部に記憶されている見出し語ごとの利用間隔を計測する頻度計測部と、を有することを特徴とする。
【００１０】
請求項４記載の発明では、請求項１から請求項３いずれかに記載の発明において、表示部と、表示部を制御する表示制御部と、を有し、表示制御部は見出し語と見出し語に対応する頻度計測部の頻度を同時に表示部に表示させる制御をすることを特徴とする。
【００１１】
請求項５記載の発明では、請求項１から請求項４いずれかに記載の発明において、あらかじめ設定された頻度以上の見出し語を抽出し記憶する高頻度リスト部を有することを特徴とする。
【００１２】
請求項６記載の発明では、請求項５に記載の発明において、高頻度リスト部に抽出される頻度を入力部からの入力により設定を行う頻度設定部を有することを特徴とする。
【００１３】
請求項７記載の発明では、請求項５から請求項６いずれかに記載の発明において、入力部からの入力により指示されたソート方法に従い高頻度リスト部に抽出された見出し語をソートするソート制御部を有することを特徴とする。
【００１４】
請求項８記載の発明では、請求項５から請求項７いずれかに記載の発明において、表示制御部は、高頻度リスト部に抽出された見出し語と頻度計測部の頻度を同時に表示することを特徴とする。
【００１５】
請求項９記載の発明では、請求項８に記載の発明において、表示制御部は、入力部からの入力により選択された高頻度リストに抽出された見出し語の関連内容からなる辞書情報を表示することを特徴とする。
【００１６】
請求項１０記載の発明では、請求項９に記載の発明において、入力部からの入力により高頻度リスト部に記憶された任意の見出し語を削除し、頻度計測部の頻度をあらかじめ設定された値に変更する高頻度解除部を有することを特徴とする。
【００１７】
請求項１１記載の発明では、請求項５から請求項１０いずれかに記載の発明において、高頻度リスト部に抽出された見出し語について記憶された辞書部のデータを使用して問題を作成し、テストを実行するテスト制御部を有することを特徴とする。
【００１８】
請求項１２記載の発明では、請求項１１に記載の発明において、高頻度解除部は、テスト結果により高頻度リスト部に記憶された見出し語を削除し、頻度計測部の頻度をあらかじめ設定された値に変更することを特徴とする。
【発明の効果】
【００１９】
本発明によれば、履歴機能や単語帳機能などにより頻度の計測を行うので、様々な重要度の頻度を計測することができる。
【００２０】
また、既存の履歴機能や単語帳機能などにおいて見出し語と同時に頻度を表示するので、新たなモードを必要とせずにユーザーは自然かつ容易に頻度を認知することができる。
【００２１】
また、頻度がユーザーの設定値以上の見出し語のみをユーザーが設定した順番にソートして頻度と同時に表示するので、ユーザーは重要な見出し語を効果的に認知することができる。
【００２２】
また、ユーザーの操作により頻度の高い重要な見出し語の辞書情報を参照するので、学習に利用することができる。
【００２３】
また、選択した見出し語を高頻度のリストから削除、頻度を高頻度でない状態に変更するので、ユーザーが辞書情報を参照して学習を終えた見出し語を対象から外すことができる。
【００２４】
また、頻度がユーザーの設定値以上の見出し語について自動的に問題を作成し、その問題によりテストを行うので、重要な見出し語をより効果的に学習することができる。
【００２５】
また、テストの結果により見出し語を高頻度のリストから削除、頻度を高頻度でない状態に変更するので、ユーザーがテストを行い、結果から学習を終えたと判断される見出し語を対象から外すことができる。
【発明を実施するための最良の形態】
【００２６】
以下、図に示す実施の形態に基づいて、本発明を詳細に説明する。
【００２７】
図１は、本発明の一実施の形態における電子辞書の構成を表したブロック図である。ＣＰＵ部１は、各種の機能を制御する制御部とそれを制御するＣＰＵ１１から構成される。
【００２８】
ＲＯＭ２は、プログラム、見出し語とその意味や訳などの関連内容を含んだ辞書データからなる辞書部２２、その他電子辞書の動作に必要なデータを含んでいる。
【００２９】
ＲＡＭ３は、電子辞書の制御に必要な演算結果などを一時的に記憶したりするために使用される。
【００３０】
入力部４は、ユーザーが見出し語を検索するための文字列の入力や、各種操作を行うための指示を入力するキーボードなどから構成され、電源キー、アルファベットキー、五十音キー、テンキー、モードキーなどが配列されている。
【００３１】
表示部５は、液晶表示装置で構成され、入力部４から入力された文字や単語、および検索された見出し語や関連内容などが表示されるようになっている。
【００３２】
ＲＯＭ２、ＲＡＭ３、入力部４、表示部５はＣＰＵ部１に接続され、ＣＰＵ部１はこれら全体を制御して電子辞書の動作を制御している。
【００３３】
ＣＰＵ部１の制御部は、検索部１２、頻度検計測部１３、履歴制御部１４、表示制御部１６、高頻度リスト部１７、頻度設定部１８、ソート制御部１９、高頻度解除部２０、テスト制御部２１で構成されていて、ＣＰＵ１１の制御により各種動作を制御する。検索部１２は、入力部４から入力された文字列を基に指示の入力により辞書部２２を検索する。頻度計測部１３は見出し語ごとの利用頻度を計測する。履歴制御部１４は、検索やジャンプ動作などによりユーザーが辞書情報を参照した見出し語の履歴リストを制御、ＲＡＭ３に記憶し、ユーザーからの入力部４の履歴表示要求入力により履歴リストを表示部５に表示する。ユーザーは入力部４の操作により履歴リストから見出し語を選択、指示することにより、その辞書情報を参照することができる。これにより履歴機能を実現している。
【００３４】
頻度計測部１３が履歴機能を利用して頻度を計測する場合、履歴リストに登録されている見出し語の辞書情報を検索やジャンプ動作により何回参照したかをカウントする。カウント数が多いほど利用頻度が高い見出し語とみなされる。この実施の形態では、辞書情報の参照回数により利用頻度を計測するが、他の方法として例えば参照時間の間隔により頻度を判定してもよい。前回の参照時間を記憶しておき、次回参照時にその間隔を計測し利用頻度とする。このように頻度が計測できるものであれば、参照回数、参照時間間隔に限定するものではない。
【００３５】
表示制御部１６は、ユーザーからの入力部４の履歴表示要求入力により履歴リストをその頻度とともに表示部５に表示する。図２に履歴表示の説明図を示す。見出し語は、参照した順番に左側に表示される。新しく参照したものが上に追加されていく。見出し語の右側に頻度としてその見出し語の参照回数が表示される。この場合、「ｒｅｐｒｅｓｅｎｔ」を５回、「ａｓ  ｆａｒ」、「ｒｅｔａｉｎ」、「ａｃｃｅｐｔ」を３回、「ｆｏｌｌｏｗ」、「ｑｕｅｒｙ」を２回、その他数字のないものは１回参照したことを示している。なお、黒塗りの部分は、見出し語選択用のカーソルで、図２では「ｇｅｔ  ｆａｒ」に置かれている。
【００３６】
高頻度リスト部１７は、頻度設定部１８に設定されている値に頻度が達している見出し語を履歴リストから抜き出し、ＲＡＭ３に記憶する。頻度設定部１８の値は、入力部４の操作によりユーザーにより設定可能である。また、抜き出されたリストは、ソート制御部１９により設定されている順番にソートされる。ソート制御部１９にはソートの順番として、アルファベット順、五十音順、頻度順、登録順などが備えられており、ユーザーの入力部４の操作により設定可能である。
【００３７】
表示制御部１６は、ユーザーからの入力部４の高頻度の見出し語の表示要求入力により高頻度リスト部１７により抜き出された見出し語のリストをその頻度とともに表示部５に表示する。図３に実施の形態を示す。この場合、利用頻度を辞書情報の参照回数で判定しており、頻度設定部１８の値が「３」と設定されている例を示している。そのため、参照回数が「３」以上のものが抜き出されている。また、表示制御部１６は、ユーザーからの入力部４の操作により高頻度の見出し語リストから所望の見出し語を選択し、辞書情報参照要求入力によりその辞書情報を表示部５に表示する。
【００３８】
高頻度解除部２０は、ユーザーからの入力部４の操作により高頻度の見出し語リストから所望の見出し語を選択し、高頻度解除要求入力により高頻度の見出し語リストから削除する。また、同時に選択された見出し語の履歴リストにおける頻度を「１」に変更し初期化を行う。ユーザーは、高頻度の見出し語リストの見出し語を見てその辞書情報を推測、その後その辞書情報を参照して内容を確認して推測した内容が合致していれば学習が終了したと判断して高頻度の見出し語リストからその見出し語を削除、履歴リストの頻度を初期化してもよい。
【００３９】
テスト制御部２１は、高頻度の見出し語リストの見出し語の辞書データを使用して問題を作成する。さらに、テスト制御部２１は、作成した問題を使用してテストを行う。図４にテストの実施の形態を示す。この実施の形態は、高頻度の見出し語リストに登録されている「ａｃｃｅｐｔ」の日本語訳について作成された三者択一問題である。「ａｃｃｅｐｔ」は本実施の形態の電子辞書に格納されている英和辞典の見出し語で、辞書データ中の日本語訳は「受け入れる」となっている。問題はこれを正解とし、この他の２つの見出し語の辞書データの日本語訳「走る」、「眠る」を誤った選択肢として使用している。ここでは、三者択一問題を実施の形態として示したが、辞書データを使用して作成する問題であればその形態は限定しない。テストは通常の辞書参照モードの他にテストモードを設け、ユーザーからの入力部４の操作によりテストモードに入りテストを行ってもよいし、作成した問題数が設定された数以上の場合、電子辞書を使用するために電源をオンしたときに自動的にテストモードに入りテストを行うようにしたりしてもよく、その実施形態は限定しない。この実施の形態の場合、ユーザーは入力部４のキーによりカーソルを操作、あるいはアルファベットキーを入力することにより解答を選択する。テスト実施時、高頻度解除部２０は、テスト結果が正解だった見出し語を自動的に高頻度の見出し語リストから削除し、また、同時にその見出し語の履歴リストにおける頻度を「１」に変更し初期化を行う。
【００４０】
次に図５と図６のフローチャートに本発明の電子辞書の動作を示す。
【００４１】
ステップＳ１で辞書情報を参照した見出し語を高頻度の見出し語リストへ登録する参照回数を現在設定されている値から変更するか選択する。変更する場合にはステップＳ２で値を変更する。
【００４２】
ステップＳ３で高頻度の見出し語リストのソートの順番を現在設定されている順番から変更するか選択する。変更する場合にはステップＳ４で順番を変更する。
【００４３】
ステップＳ５で見出し語を検索するか選択する。見出し語を検索する場合には、ステップＳ６で文字列を入力し検索を行い、ステップＳ７で検索された見出し語の辞書情報を参照する。
【００４４】
ステップＳ８で辞書データを参照した見出し語が既に履歴に登録されているかチェックを行い、登録されていればステップＳ９で参照回数を１加算する。ステップＳ８で登録されていなければステップＳ１０で履歴に登録し、ステップＳ１１で参照回数を１にセットする。
【００４５】
ステップＳ１２で参照回数が高頻度の見出し語リストへ登録する参照回数に達しているかチェックを行う。達していればステップＳ１３で高頻度の見出し語リストへ見出し語を登録する。高頻度の見出し語リストはステップＳ１４でソートされる。ステップＳ１５で高頻度の見出し語リストへ登録された見出し語についてその辞書データを使用してテスト用の問題が作成される。
【００４６】
ステップＳ５で見出し語を検索せず、ステップＳ２０で履歴の参照を選択すると、ステップＳ２１で参照した見出し語の履歴と参照回数が表示される。履歴参照機能については、既存の機能と同様である。
【００４７】
ステップＳ２０で履歴の参照をしない場合、図６のステップＳ３０に処理が移る。ステップ３０で高頻度の見出し語リストの参照を選択すると、ステップＳ３１で高頻度の見出し語リストが表示される。このとき、リスト中で見出し語を選択し、その辞書情報を参照することができる（ステップＳ３２からステップＳ３４）。また、リスト中で見出し語を選択し、リストから削除することができる。このとき、削除した見出し語の履歴での参照回数が「１」にセットされる（ステップＳ３３からステップＳ３５）。
【００４８】
ステップＳ３０で高頻度の見出し語リストを参照せず、ステップＳ４０でテスト用の問題が作成されている場合には、テストを行うことができる（ステップＳ４１、ステップＳ４２）。テストは、ユーザーが能動的にテストモードを選択して実行してもよいし、本発明の電子辞書が自動的にテストモードを選択して実行するようにしてもよい。このとき、ステップＳ４３においてテストで正解の場合、ステップＳ４４でその見出し語をリストから削除し、その見出し語の履歴での参照回数が「１」にセットされる。
【００４９】
また、図７に本発明の他の実施の形態における電子辞書の構成を表したブロック図を示す。
【００５０】
ＣＰＵ部１の制御部は、単語帳制御部１５を備える。単語帳制御部１５は、辞書情報を参照時に、ユーザーからの入力部４の単語帳登録要求入力により見出し語を単語帳リストに追加して制御、ＲＡＭ３に記憶し、ユーザーからの入力部４の単語帳表示要求入力により単語帳リストを表示部５に表示する。ユーザーは入力部４の操作により単語帳リストから見出し語を選択、指示することにより、その辞書情報を参照することができる。これにより単語帳機能を実現している。頻度計測部１３が単語帳機能を利用して頻度を計測する場合、一つの見出し語を何回単語帳リストに登録しようとしたか、その登録操作回数をカウントする。カウント数が多いほど利用頻度が高い見出し語とみなされる。また、登録時間の間隔により頻度を判定してもよい。前回の登録時間を記憶しておき、次回登録操作を行った時にその間隔を計測し利用頻度とする。このように頻度が計測できるものであれば、登録操作回数、登録操作時間間隔に限定するものではない。
【００５１】
単語帳機能を利用して抜き出した高頻度の見出し語リストおよびその辞書データを使用して作成した問題またそのテストを、履歴機能を利用したものと別に管理、制御する。あるいは、特に別に管理する必要がなければ、一つにまとめてもよい。その他の機能、動作については、図１に示した実施の形態と同様である。
【００５２】
以上説明したように、本発明の電子辞書によれば、履歴機能や単語帳機能などにより頻度の計測を行うので、異なる重要度の見出し語の利用頻度を分けて、あるいはまとめて計測することができる。また、既存の履歴機能や単語帳機能などにおいて見出し語と同時に利用頻度を表示するので、ユーザーは自然かつ容易に見出し語の利用頻度を知ることができる。ユーザーが設定した基準以上の利用頻度の見出し語を抜き出し、ソートしたリストを利用頻度とともに表示するので、ユーザーは重要な見出し語を明確に知ることができる。さらに、そのリスト中で見出し語を選択し、その辞書情報を参照できるので、重要な見出し語について有効に学習を行うことができる。また、そのリスト中で見出し語を選択し、そのリストから削除し、利用頻度を初期化することができるので、ユーザーが学習を行い、さらに学習する必要がないと判断した見出し語を重要な見出し語の対象から外すことができる。ユーザーが設定した基準以上の利用頻度の見出し語について自動的に問題を作成し、その問題によりテストを行うので、ユーザーは無意識のうちに重要な見出し語について学習することができ、より効果的に学習することができる。また、テストで正解した見出し語を利用頻度の高い見出し語リストから自動的に削除し、利用頻度を初期化するので、テスト結果から学習を終えさらに学習する必要がないと判断した見出し語を重要な見出し語の対象から外すことができる。
【００５３】
履歴機能や単語帳機能などの異なる機能を利用して利用頻度を計測し、それぞれに分けて頻度の高い見出し語を抜き出し、問題を作成してテストを行うことができるので、ユーザーは重要度のレベルを考慮してさらに効果的に学習することができる。
【００５４】
以上、本発明の電子辞書における実施の形態について説明したが、本発明は説明した実施の形態に限定されるものではなく、各請求項に記載した範囲において各種の変形を行うことが可能である。また、実施の形態では、英和辞典を格納した電子辞書を示したが、見出し語とそれに関連した意味、訳、例文、成句などの情報からなる形態であれば、その内容、言語は限定しない。
【図面の簡単な説明】
【００５５】
【図１】本発明の一実施の形態における電子辞書の構成を表したブロック図である。
【図２】本発明の履歴リスト表示を表した説明図である。
【図３】本発明の高頻度の見出し語リスト表示を表した説明図である。
【図４】本発明のテストを表した説明図である。
【図５】本発明の電子辞書の主要処理を表した第一のフローチャートである。
【図６】本発明の電子辞書の主要処理を表した第二のフローチャートである。
【図７】本発明の別の実施の形態における電子辞書の構成を表したブロック図である。
【符号の説明】
【００５６】
１  ＣＰＵ部
２  ＲＯＭ
３  ＲＡＭ
４  入力部
５  表示部
１１  ＣＰＵ
１２  検索部
１３  頻度計測部
１４  履歴制御部
１５  単語帳制御部
１６  表示制御部
１７  高頻度リスト部
１８  頻度設定部
１９  ソート制御部
２０  高頻度解除部
２１  テスト制御部
２２  辞書部
【図１】
2006228044.tif 000003
【図２】
2006228044.tif 000004
【図３】
2006228044.tif 000005
【図４】
2006228044.tif 000006
【図５】
2006228044.tif 000007
【図６】
2006228044.tif 000008
【図７】
2006228044.tif 000009